(57)【要約】  通信装置の過負荷処理方法は、サービスアクセス要求を受信し、サービスアクセス要求からの始動により過負荷の有無を検出し、過負荷の存在が検出された場合、過負荷ライセンス制御項目の制御の下にサービスアクセス要求を受理することを含む。コンピュータプログラム製品に含まれるコンピュータプログラムは前記通信装置の過負荷処理方法を実行できる。コンピュータ可読記憶媒体に格納されたコンピュータプログラムは前記通信装置の過負荷処理方法を実行できる。通信装置の過負荷処理装置は、サービスアクセス要求を受信するための受信ユニットと、受信ユニットがサービスアクセス要求を受信した場合に過負荷の有無を検出する検出ユニットと、検出ユニットが過負荷を検出した場合に過負荷ライセンスコントロール項目の制御下でサービスアクセス要求を受理するための制御ユニットと、を含む。本発明で提供される方式を利用することにより、バースト事象に対処するのにより容量の大きい普通ライセンスを購入する必要がなく、運用コストが軽減される。
2011510370.tif 000002
【特許請求の範囲】
【請求項１】
サービスアクセス要求を受信するステップと、
前記サービスアクセス要求に始動されて、過負荷の発生を検出するステップと、
過負荷が検出される場合に、過負荷ライセンスコントローラの制御の下に前記サービスアクセス要求を受理するステップと、
を含む、通信設備の過負荷処理方法。
【請求項２】
前記過負荷ライセンスコントローラの制御の下に前記サービスアクセス要求を受理するステップの前に、
前記サービスアクセス要求の仕様を満たすために環境設定パラメータを調整するステップを更に含むことを特徴とする、請求項１に記載の通信設備の過負荷処理方法。
【請求項３】
前記過負荷ライセンスコントローラの制御の下に前記サービスアクセス要求を受理するステップの前に、
前記通信設備が、前記過負荷ライセンスコントローラに対応する過負荷ライセンスの運用条件を満たすかどうかを判断するステップと、
前記通信設備が前記運用条件を満たす場合に、前記過負荷ライセンスコントローラの制御の下に、前記サービスアクセス要求を受理するステップと、
を更に含むことを特徴とする、請求項１に記載の通信設備の過負荷処理方法。
【請求項４】
前記通信設備が前記運用条件を満たす場合に、前記過負荷ライセンスコントローラの制御の下に、前記サービスアクセス要求を受理するステップの前に、
前記過負荷ライセンスコントローラが過負荷ライセンスコントローラ容量を有するかどうかを判断するステップと、
前記過負荷ライセンスコントローラが過負荷ライセンスコントローラ容量を有する場合に、前記過負荷ライセンスコントローラの制御の下に前記サービスアクセス要求を受理するステップと、
を更に含むことを特徴とする、請求項３に記載の通信設備の過負荷処理方法。
【請求項５】
前記過負荷ライセンスコントローラの制御の下に前記サービスアクセス要求を受理するステップの後に、
前記過負荷ライセンスコントローラの前記過負荷ライセンスコントローラ容量を減少させるステップ、
を更に含むことを特徴とする、請求項４に記載の通信設備の過負荷処理方法。
【請求項６】
前記通信設備が、前記過負荷ライセンスの前記運用条件を満たすかどうかを判定するステップの前に、
前記運用条件を設定するステップを更に含むことを特徴とする、請求項３〜５のいずれか１項に記載の通信設備の過負荷処理方法。
【請求項７】
前記過負荷が検出された場合に、
過負荷ライセンスアラームを始動させるステップを更に含むことを特徴とする、請求項１から５のいずれか１項に記載の通信設備の過負荷処理方法。
【請求項８】
コンピュータで実行されると、請求項１から７のいずれか１項に記載のステップを前記コンピュータに実行させるコンピュータプログラムコードを含むことを特徴とする、コンピュータプログラム製品。
【請求項９】
コンピュータプログラムコードを格納し、前記コンピュータプログラムコードはコンピュータで実行されると、請求項１から７のいずれか１項に記載のステップをコンピュータに実行させることを特徴とする、コンピュータ可読記憶媒体。
【請求項１０】
サービスアクセス要求を受信するように構成された受信ユニットと、
前記受信ユニットが前記サービスアクセス要求を受信した後に、過負荷の発生の有無を検出するように構成された検出ユニットと、
前記検出ユニットが過負荷を検出した場合、過負荷ライセンスコントローラの制御の下に前記サービスアクセス要求を受理するように構成された制御ユニットと、
を備える、通信設備の過負荷処理装置。
【請求項１１】
前記検出ユニットが過負荷を検出した後、前記サービスアクセス要求の仕様を満たすために環境設定パラメータを調整するように構成された調整ユニットを更に備え、
前記制御ユニットは、前記調整ユニットが前記環境設定パラメータを調整した後、前記過負荷ライセンスコントローラの制御の下に前記サービスアクセス要求を受理するように更に構成されていることを特徴とする、請求項１０に記載の通信設備の過負荷処理装置。
【請求項１２】
前記検出ユニットが過負荷を検出した後、前記過負荷ライセンスコントローラに対応する過負荷ライセンスの運用条件を、前記通信設備が満たすかどうかを判定するように構成された判定ユニットを更に備え、
前記制御ユニットは、前記判定ユニットにより前記通信設備が過負荷ライセンスの運用条件を満たしていると判定された場合に、前記過負荷ライセンスの制御の下に前記サービスアクセス要求を受理するように更に構成されていることを特徴とする、請求項１０に記載の通信設備の過負荷処理装置。
【請求項１３】
前記判定ユニットは、前記通信設備が前記運用条件を満たすと判定された場合に、前記過負荷ライセンスコントローラが過負荷ライセンスコントローラ容量を有するか否かを更に判定するように構成されており、
前記制御ユニットは、前記判定ユニットが前記過負荷ライセンスコントローラは前記過負荷ライセンスコントローラ容量を有すると判断した場合に、前記過負荷ライセンスコントローラの制御の下に前記サービスアクセス要求を受理するように更に構成されている、ことを特徴とする、請求項１２に記載の通信設備の過負荷処理装置。
【請求項１４】
前記制御ユニットが、前記過負荷ライセンスコントローラの制御の下に前記サービスアクセス要求を受理した後に、前記過負荷ライセンスコントローラの前記過負荷ライセンスコントローラ容量を減少させるように構成された、容量制御ユニットを更に備えることを特徴とする、請求項１３に記載の通信設備の過負荷処理装置。
【請求項１５】
前記運用設備が前記運用条件を満たすかどうかを前記判定ユニットが判定する前に、前記過負荷ライセンスの前記運用条件を設定するように構成された、設定ユニットを更に備えることを特徴とする、請求項１２から１４のいずれか１項に記載の通信設備の過負荷処理装置。
【請求項１６】
前記検出ユニットが過負荷を検出した後に、ライセンス過負荷アラームを始動するように構成された、始動ユニットを更に備えることを特徴とする、請求項１０から１４のいずれか１項に記載の通信設備の過負荷処理装置。
【発明の詳細な説明】
【技術分野】
【０００１】
本願は、２００８年５月１６日に中国特許庁へ出願された、「通信設備の過負荷処理方法及び装置」という標題の中国特許出願第２００８１００９４７９４．７号の優先権を主張するものである。参照によりその内容全体がここに組み込まれる。
本発明は通信技術に関し、特に通信設備の過負荷処理方法及び装置に関する。
【背景技術】
【０００２】
通信産業の発展に伴い、接続サービス会社はますます広範なサービスを提供し、接続サービス会社間の競争はさらに激しくなって、接続サービス会社へのコスト圧力が更に強まってきている。通信設備を購入する際、接続サービス会社は、ある容量を有する普通ライセンスを購入する必要がある。設備の運用は普通ライセンスで制御される。サービス容量が、普通ライセンスで認可された容量を超えると、設備は新規サービスへアクセスできなくなる。
【０００３】
しかし、運用過程において、コンサート、スポーツ大会、ラッシュ時の鉄道駅等の突発的事象のあるサイトでは、人々が密に寄り集い、サービス容量は普通ライセンスで認可される容量を超えがちとなる。サービス容量が、普通ライセンスで認可された容量を超えると、新規サービスへのアクセスが拒絶される。このような緊急事態に対処する方法は、従来技術においては、より容量の大きい普通ライセンスを購入することであった。
【発明の概要】
【発明が解決しようとする課題】
【０００４】
本発明を開発する過程において、発明者は、従来技術では少なくとも以下のような欠点があることがわかった。より容量の大きい普通ライセンスはコスト高となるが、このような緊急事態は頻繁に起きるわけではない。購入したより容量の大きい普通ライセンスは、緊急事態のない期間は全く無駄であり、運用コストを上げる。
【課題を解決するための手段】
【０００５】
本発明の様々な態様は、通信設備の過負荷処理の方法及び装置を提供する。本明細書において提供される解決策によれば、接続サービス会社は緊急事態に対処するために、より容量の大きい普通ライセンスを購入する必要がなく、運用コストを低減できる。
【０００６】
本発明の第１の態様による通信設備の過負荷処理方法は、サービスアクセス要求を受信し、サービスアクセス要求に始動（トリガー）されて過負荷の発生を検出し、過負荷が検出された場合には、過負荷ライセンスコントローラの制御の下にサービスアクセス要求を受理すること、を含む。
【０００７】
本発明の第２の態様により、コンピュータプログラム製品が提供される。コンピュータプログラム製品は、コンピュータプログラムコードを含む。コンピュータで実行されれば、そのコンピュータプログラムコードが通信設備の過負荷処理方法の全てのステップをコンピュータに実行させる。
【０００８】
本発明の第３の態様により、コンピュータプログラムコードを格納するためのコンピュータ可読記憶媒体が提供される。コンピュータで実行されると、そのコンピュータプログラムコードは通信設備の過負荷処理方法の全てのステップをコンピュータに実行させる。
【０００９】
本発明の第４の態様による通信設備の過負荷処理装置は、サービスアクセス要求を受信するように構成された受信ユニットと、受信ユニットがサービスアクセス要求を受信した後に、過負荷が生じていないかどうかを検出するように構成された検出ユニットと、検出ユニットが過負荷を検出した場合、過負荷ライセンスコントローラの制御の下でサービスアクセス要求を受理するように構成された制御ユニットと、を備える。
【００１０】
本発明の様々な態様においては、過負荷が検出されても、設備は過負荷ライセンスコントローラの制御の下に運用を続けることができる。従って、緊急事態に対処するために、より容量の大きい普通ライセンスを購入する必要がなく、接続サービス会社は運用コストを低減し、設備が過負荷運用状態にあってもユーザの設備へのアクセスを確保し、トラフィックピークに円滑に対処し、ユーザの使用感を向上させることが可能である。
【図面の簡単な説明】
【００１１】
【図１】本発明の第１の実施形態による、通信設備の過負荷処理方法のフローチャートである。
【図２】本発明の第２の実施形態による、通信設備の過負荷処理方法のフローチャートである。
【図３】本発明の第３の実施形態による、通信設備の過負荷処理方法のフローチャートである。
【図４】本発明の第１の実施形態による、通信設備の過負荷処理装置の構成を示す。
【図５】本発明の第２の実施形態による、通信設備の過負荷処理装置の構成を示す。
【図６】本発明の第３の実施形態による、通信設備の過負荷処理装置の構成を示す。
【発明を実施するための形態】
【００１２】
本発明の技術的解法、目的及び利点をより明確にするために、本発明の実施形態を添付の図面を参照して以下詳細に説明する。
【００１３】
図１は本発明の第１の実施形態による、通信設備の過負荷処理方法のフローチャートである。この方法は以下のステップを含む。
【００１４】
ステップ１０１：サービスアクセス要求が受信される。
【００１５】
通信設備の動作中に、通信設備は他の通信設備又は通信端末からサービスアクセス要求を受信する。
【００１６】
ステップ１０２：サービスアクセス要求に始動されて、過負荷状態が生じているかどうかが判断される。
【００１７】
通信設備の容量は一定である。従って、サービスアクセス要求を受信した後、過負荷が生じるかどうか、つまりそのサービスアクセス要求を受理するために利用可能な空き容量がまだ普通ライセンスにあるかどうかを検出することが必要となる。過負荷の検出は、現時点でのサービス容量が、普通ライセンスの容量を超えるかどうかを直接検出する。現時点でのサービス容量が普通ライセンスの容量を超える場合には、設備は過負荷状態である。特に、このステップはサービスアクセス要求を受信した後に行われる。普通ライセンスとは、設備が正常に動作する場合のライセンスのことを指しており、設備のライセンス、および／またはネットワークのライセンスであってよい。
【００１８】
ステップ１０３：過負荷が検出された場合には、過負荷ライセンスコントローラの制御下で、サービスアクセス要求が受理される。
【００１９】
過負荷が検出されても、サービスアクセス要求を、過負荷ライセンスコントローラの制御下で受理することができる。つまり、過負荷となっている設備が、過負荷ライセンスコントローラの制御下で、継続して運用されることができる。従って、設備容量が普通ライセンス容量を超えても、サービスは通常通りにアクセス可能である。この実施形態では過負荷ライセンスコントローラが、設備の既存の普通ライセンスに基づく制御を改めて実行する。サービス容量が、この設備の普通ライセンスの既存容量を超えた場合にのみ、過負荷ライセンスコントローラが始動（トリガー）される。過負荷ライセンスは普通ライセンスの特別のコントローラを含むものではない。過負荷ライセンスは、独立した過負荷ライセンスコントローラを有している。過負荷ライセンスコントローラは、過負荷回数、サービスのピーク日数、サービスピーク数、又は過負荷時間から構成されていてよい。過負荷が検出されない場合は、通常のサービスプロセスが適用され、ユーザは設備へのアクセスが許される。
【００２０】
過負荷回数は、任意の普通ライセンスが上限を超えた総回数であり、装置の任意の普通ライセンスが上限を超えると、過負荷回数が１だけ増分される。この場合、過負荷ライセンスコントローラが、サービス運用プロセスにおいて、設備の普通ライセンスの過負荷総回数に対する制御をおこなう。過負荷回数が増えると、過負荷ライセンスコントローラの容量は減少する。サービスのピーク日数は、過負荷日数の合計である。ある日に過負荷が発生すると、サービスのピーク日数が１だけ増分される。この場合、過負荷ライセンスコントローラが、サービス運用プロセスにおいて、サービスピークが発生した総日数に対する制御をおこなう。過負荷日数が増えると、過負荷ライセンスコントローラの容量は減少する。サービスピーク数は、ある期間（数時間又は数日）において過負荷が継続的に発生する場合、その期間をサービスピークとしてカウントする。この場合、過負荷ライセンスコントローラが、サービス運用プロセスにおいて、サービスピークの総数に対する制御をおこなう。サービスピーク数が増えると、過負荷ライセンスコントローラの容量は減少する。過負荷時間は、過負荷の継続時間を指す。このコントローラは、サービス運用プロセスにおいて、過負荷時間に対する制御を行う。この場合、過負荷ライセンスコントローラの容量、つまり過負荷時間は、過負荷カウントの増加に伴って減少する。
【００２１】
過負荷ライセンスコントローラは事前設定される。設備の普通ライセンスを購入する際に、接続サービス会社は必要に応じて過負荷ライセンスを選択することができる。過負荷ライセンスは普通ライセンスに付帯していて、セットでリリースされるか、又は、過負荷ライセンスが設備内に別個にリリースされる。
【００２２】
本実施態様においては、過負荷が検出されても、設備は過負荷ライセンスコントローラの制御の下に運用を続けることができる。従って、緊急事態に対処するために、より容量の大きい普通ライセンスを購入する必要がなく、接続サービス会社は運用コストを低減し、設備が過負荷運用状態にあってもユーザの設備へのアクセスを確保し、トラフィックピークに円滑に対処し、そしてユーザの使用感を向上させることが可能である。
【００２３】
一般に、環境設定パラメータは普通ライセンスの容量に従って設定される。従って、設備が過負荷運用の場合には、設備の環境設定パラメータは調整する必要がある。過負荷ライセンスコントローラの制御下で、設備を過負荷モードで運用する前に、本方法は、サービスアクセス要求仕様を満たすために環境設定パラメータを調整するステップを更に含む。
【００２４】
環境設定パラメータの調整は、パケットデータプロトコル（ＰＤＰ）コンテキストへのアクセスの増加、より多くの仮想プライベートネットワーク（ＶＰＮ）の設定、セルにアクセスするユーザ端末（ＵＥ）数の増加、セル電力の調整、等により行う。本発明の実施形態は、環境設定パラメータの調整方法を特に指定しない。環境設定パラメータの調整により、調整された環境設定パラメータはサービスアクセス要求仕様を満たす、つまり過負荷運用仕様を満たすことになる。従って、過負荷運用中の設備は標準レベルに達したサービスを提供可能であり、従ってユーザの使用感は向上する。
【００２５】
図２は本発明の第２の実施形態による、通信設備の過負荷処理方法のフローチャートである。この方法は以下のステップを含む。
【００２６】
ステップ２０１：過負荷ライセンスの運用条件が設定される。
【００２７】
設備には過負荷ライセンスがリリースされているが、運用コストを低減するために過負荷ライセンスの運用条件が設定される。具体的な設定は、過負荷ライセンスの有効化の可否、過負荷ライセンスを有効化する時間セグメント、過負荷ライセンスを有効化する閾値、であってよい。このように、特定の時間セグメント内、及び／又は特定の閾値に到達した場合にのみ、過負荷ライセンスが有効となる。
【００２８】
ステップ２０２：サービスアクセス要求が受信され、サービスアクセス要求に始動されて過負荷が検出される。この実施形態では、過負荷が検出されたものとする。過負荷が検出されない場合には、通常のサービスプロセスが適用される。
【００２９】
ステップ２０３：過負荷ライセンスの運用条件が満たされているかどうかが判定される。過負荷ライセンスの運用条件が満たされている場合には、プロセスはステップ２０４に進む。そうでない場合には、プロセスはステップ２０５に進み、ここでは過負荷ライセンスは過負荷ライセンスコントローラに対応する。
【００３０】
具体的には、過負荷ライセンスが有効になっているかどうかが判定される。過負荷ライセンスが有効になっている場合には、有効な時間セグメント、又は有効な閾値が満たされているかどうかが判定される。過負荷が発生して、過負荷ライセンスの運用条件が満たされていない場合には、サービスアクセス要求は却下される。
【００３１】
更に、過負荷ライセンスコントローラは特定の容量を有している。従って、過負荷コントローラの存在が確認されると、次に、過負荷ライセンスコントローラに過負荷ライセンスコントローラ容量があるかどうかが更に判定される。過負荷ライセンスコントローラに過負荷ライセンスコントローラ容量がある場合には、後続のプロセスが継続され、そうでない場合にはサービスアクセス要求が却下される。
【００３２】
過負荷ライセンスコントローラ容量は、過負荷ライセンスコントローラによって変化する。過負荷ライセンスが過負荷回数である場合、対応する過負荷ライセンスコントローラ容量は、残りの過負荷回数であり、過負荷ライセンスが過負荷時間である場合、対応する過負荷ライセンスコントローラ容量は、残りの過負荷時間である。
【００３３】
ステップ２０４：サービスアクセス要求は過負荷ライセンスコントローラの制御の下に受理される。プロセスが終了する。
【００３４】
具体的には、このステップにおいて、過負荷ライセンスコントローラの管理下での過負荷運用は、サービスアクセス要求を受理する。
【００３５】
過負荷ライセンスコントローラ容量が一定の場合、過負荷ライセンスコントローラが制御実行に使用されるとライセンスコントローラ容量は減少する。過負荷ライセンスが過負荷回数の場合、過負荷が起きると残りの過負荷回数は減少する。過負荷ライセンスがサービスのピーク日数である場合、ある日に過負荷が起きると残りのサービスピーク日数は減少する。過負荷ライセンスがサービスピーク数である場合、ある時間セグメントに過負荷が起きると残りのサービスピーク数は減少する。過負荷ライセンスが過負荷時間の場合、過負荷が起きると残りの過負荷時間は減少する。過負荷ライセンスコントローラ容量が０である場合、それ以上の過負荷は許可されない。そうなった場合には、再度過負荷が発生しても、サービスアクセス要求は却下される。
【００３６】
ステップ２０５：サービスアクセス要求が却下される。
【００３７】
本実施形態においては、過負荷が検出された後、過負荷ライセンスコントローラが有効化されているかどうかが判定される。過負荷ライセンスコントローラが有効化されている場合にのみ、設備は、過負荷ライセンスコントローラの制御の下での過負荷モード運用が許される。このように、過負荷ライセンスの運用条件を満たす設備のみが、過負荷モードでの運用が可能であり、従って、設備の正常運用を実施できる。また、過負荷が検出されても、過負荷ライセンスの運用条件が満たされている場合には、過負荷ライセンスコントローラの制御の下に、設備は過負荷モードでの運用を継続できる。従って、緊急事態に対処するために、より容量の大きい普通ライセンスを購入する必要がなく、接続サービス会社は運用コストを低減し、設備が過負荷運用状態にあってもユーザの設備へのアクセスを確保し、トラフィックピークに円滑に対処し、ユーザの使用感を向上させることが可能である。
【００３８】
設備ユーザに過負荷であることを知らせるために、過負荷が検出されるとライセンス過負荷警告が始動されるようになっていてもよい。警告の内容としては、過負荷発生を示す情報であってもよい。過負荷ライセンスコントローラ容量が限られる場合、設備は過負荷ライセンスコントローラの消費済み容量及び残容量を表示してよく、従って、ユーザは過負荷ライセンスコントローラ容量を間に合わせて追加することができ、設備を正常に運用することができる。
【００３９】
図３は本発明の第３の実施形態による、通信設備の過負荷処理方法のフローチャートである。この方法は以下のステップを含む。
【００４０】
ステップ３０１：サービスアクセス要求が受信される。
【００４１】
ステップ３０２：設備が過負荷状態であるかどうかの判定がなされる。設備が過負荷状態でなければ、プロセスはステップ３０８へ進む。設備が過負荷状態であれば、プロセスはステップ３０３へ進む
【００４２】
ステップ３０３：設備の過負荷警告が報告される。
【００４３】
設備の過負荷警告はユーザに対する警告である。この実施形態では、警告のモード又は内容は特定されない。ユーザに注意を喚起することのできる任意の警告が、本発明の実施に適する。
【００４４】
ステップ３０４：過負荷ライセンスコントローラの運用条件が満たされているかどうかが判定される。運用条件が満たされている場合には、プロセスはステップ３０９へ進む。そうでない場合は、プロセスはステップ３０５へ進む。
【００４５】
過負荷ライセンスコントローラの運用条件は前もって設定されていてもよい。
【００４６】
ステップ３０５：過負荷ライセンスコントローラ容量が０より大きいかどうか、つまり、利用できる過負荷ライセンスがあるかどうか、が判定される。過負荷ライセンスコントローラ容量が０の場合には、プロセスはステップ３０９へ進み、過負荷ライセンスコントローラ容量が０より大きい場合には、プロセスはステップ３０６へ進む。
【００４７】
過負荷ライセンスコントローラ容量は、過負荷回数、サービスのピーク日数、サービスピーク数、又は過負荷時間、であってよい。
【００４８】
ステップ３０６：過負荷ライセンスコントローラ容量が減分される。即ち、過負荷ライセンスコントローラの残容量が１だけ減分される。
【００４９】
過負荷ライセンスコントローラが過負荷時間である場合には、このステップは過負荷運用が完了した後に行われる必要がある。それは、過負荷運用が完了するまでは過負荷運用時間がわからないからである。
【００５０】
ステップ３０７：設備の環境設定パラメータが修正されて、サービスアクセス要求を受理する時に、増加した容量要件を満たすようにする。
【００５１】
このステップは必須ではない。設備の環境設定パラメータが過負荷運用要件を満たす場合には、このステップは必要ない。
【００５２】
ステップ３０８：サービスアクセス要求が受理される。プロセスが終了する。
【００５３】
このステップでは、サービスアクセス要求は過負荷ライセンスコントローラの制御の下に受理される。
【００５４】
ステップ３０９：サービスアクセス要求が却下される。プロセスが終了する。
【００５５】
本実施態様においては、過負荷が検出されても、設備は過負荷ライセンスコントローラの制御の下に運用を続けることができる。従って、緊急事態に対処するために、より容量の大きい普通ライセンスを購入する必要がなく、接続サービス会社は運用コストを低減し、設備が過負荷運用状態にあってもユーザの設備へのアクセスを確保し、トラフィックピークに円滑に対処し、ユーザの使用感を向上させることが可能である。また、過負荷ライセンスの運用条件が満たされているかどうかが判断され、過負荷ライセンスの運用条件が満たされている場合にのみ過負荷ライセンスが有効化される。こうすることにより運用コストの抑制を実施できる。
【００５６】
通信設備の過負荷処理装置が本明細書で提供される。この装置は通信設備又はネットワーク管理設備の中に配置されてもよい。
【００５７】
図４は、本発明の第１の実施形態による、通信設備の過負荷処理装置の構成を示す。この装置には、
サービスアクセス要求を受信するように構成された受信ユニット４０１と
受信ユニット４０１がサービスアクセス要求を受信した後に、過負荷の発生の有無を検出するように構成された検出ユニット４０２と
検出ユニット４０１が過負荷を検出した場合、過負荷ライセンスコントローラの制御の下にサービスアクセス要求を受理するように構成された制御ユニット４０３と
が含まれる。
【００５８】
本実施態様における通信設備の過負荷処理をするこの設備によって、過負荷が検出されても、設備は過負荷ライセンスコントローラの制御の下に運用を続けることができる。従って、緊急事態に対処するために、より容量の大きい普通ライセンスを購入する必要がなく、接続サービス会社は運用コストを低減し、設備が過負荷運用状態にあってもユーザの設備へのアクセスを確保し、トラフィックピークに円滑に対処し、ユーザの使用感を向上させることが可能である。
【００５９】
通信設備がサービス要求を受信する際に、そのサービス要求に起動されて、過負荷の発生の有無が判定される。過負荷が発生していれば、通信設備は、過負荷ライセンスコントローラの制御の下に過負荷モードで運用できる。
【００６０】
通信設備の環境設定パラメータが普通ライセンスの容量に従って設定されている場合、過負荷運用をする前に環境設定パラメータを調節して、過負荷運用仕様に合わせる必要がある。この場合、本実施形態における通信設備の過負荷処理装置は、さらに、制御ユニット４０３が過負荷ライセンスコントローラの制御の下にサービスアクセス要求を受理する前に、サービスアクセス要求仕様を満たすように環境設定パラメータを調整するように構成された調整ユニットを含んでいてよい。
【００６１】
調整ユニットが環境設定パラメータを調整した後に、通信設備はサービスアクセス要求を受理して正常な運用ができる。そしてユーザは通信設備に普通どおりにアクセスすることができる。
【００６２】
図５は、本発明の第２の実施形態による通信設備の過負荷処理装置の構成を示す。この装置には、
サービスアクセス要求を受信するように構成された受信ユニット５０１と
受信ユニット５０１がサービスアクセス要求を受信した後に、過負荷の発生の有無を検出するように構成された検出ユニット５０２と
検出ユニッ５０２トが過負荷を検出した後、サービスアクセス要求仕様を満たすために環境設定パラメータを調整するように構成された調整ユニット５０３と
調整ユニット５０３が環境設定パラメータを調整した後に、過負荷ライセンスコントローラの制御の下にサービスアクセス要求を受理するように構成された制御ユニット５０４と
が含まれる。
【００６３】
この実施形態における通信設備の過負荷処理装置によって、過負荷ライセンスコントローラが設定（構成）される。過負荷が検出された場合も、設備は過負荷ライセンスコントローラの制御の下に運用を続けることができる。従って、緊急事態に対処するために、より容量の大きい普通ライセンスを購入する必要なしに、接続サービス会社は運用コストを低減できる。また、環境設定パラメータが調整されて、設備が過負荷運用状態にあってもユーザの設備へのアクセスを確保し、トラフィックピークに円滑に対処し、そしてユーザの使用感を向上させる。
【００６４】
更には、運用コストを低減するために過負荷ライセンスの運用条件が設定されてもよい。この場合、本実施形態における通信設備の過負荷処理設備は、さらに、過負荷ライセンスの運用条件を設定する様に構成された設定ユニットを含んでもよい。
【００６５】
本実施形態における通信設備の過負荷処理装置は、更に、検出ユニット５０２が過負荷を検出した後、過負荷ライセンスの運用条件が満たされているかどうかを判定するように構成された判定ユニットを含んでもよい。
【００６６】
この場合、判定ユニットが過負荷ライセンスの運用条件が満たされていると判断した場合にのみ、制御ユニット４０２又は制御ユニット５０２は、過負荷ライセンスコントローラの制御の下に設備の運用を制御するように構成される。
【００６７】
判定ユニットは、過負荷ライセンスの運用条件が満たされているかどうかを判定し、過負荷ライセンスの運用条件が満たされている場合にのみ、過負荷ライセンスコントローラの制御の下に設備が動作する。この方法では、過負荷ライセンスの運用条件を満たす設備のみが、過負荷モードでの運用が可能であり、このことにより設備の正常運用と運用コストの抑制とを実施することができる。
【００６８】
更に、過負荷ライセンスコントローラは特定の容量を有している。判定ユニットは、過負荷ライセンスの運用条件が満たされていると判定した後、過負荷ライセンスコントローラが過負荷ライセンスコントローラ容量を有しているかどうかを更に判定することができる。
【００６９】
この場合、判定ユニットが、過負荷ライセンスコントローラが過負荷ライセンスコントローラ容量を有すると判断した場合にのみ、制御ユニット４０２又は制御ユニット５０２は、過負荷ライセンスコントローラの制御の下に設備の運用を制御するように構成されている。
【００７０】
過負荷ライセンスコントローラの容量を判定する判定ユニットを介して、過負荷ライセンスコントローラが容量を有する場合にのみ、確実に設備は過負荷モードで運用されることができる。このことにより設備の正常運用を実施できる。
【００７１】
図６は、本発明の第３の実施形態による、通信設備の過負荷処理装置の構造を示す。この装置には、
過負荷ライセンスの運用条件を設定するための、設定ユニット６０１と
サービスアクセス要求を受信するように構成された受信ユニット６０２と
受信ユニット６０２がサービスアクセス要求を受信した後に、過負荷の発生の有無を検出するように構成された検出ユニット６０３と
検出ユニット６０３が過負荷を検出した後、設定ユニット６０１により設定された過負荷ライセンス運用条件が満たされているかどうかを判定するように構成された判定ユニット６０４と
判定ユニットが、過負荷ライセンス運用条件が満たされていると判断した後に、サービスアクセス要求仕様を満たすように環境設定バラメータを調整するように構成された調整ユニット６０５と
調整ユニット６０５が環境設定パラメータを調整した後に、過負荷ライセンスコントローラの制御の下にサービスアクセス要求を受理するように構成された制御ユニット６０６と
制御ユニット６０６が、過負荷ライセンスコントローラの制御の下にサービスアクセス要求を受理した後に、過負荷ライセンスコントローラの過負荷ライセンスコントローラ容量を減少させるように構成された、容量制御ユニット６０７と
検出ユニット６０２が過負荷を検出した後に、ライセンス過負荷アラームを始動するように構成された、始動ユニット６０８と
が含まれる。
【００７２】
始動ユニット６０８は任意選択的に追加可能である。
【００７３】
本実施態様における通信設備の過負荷処理をするこの装置によって、過負荷が検出された場合も、設備は過負荷ライセンスコントローラの制御の下に運用を続けることができる。従って、緊急事態に対処するために、より容量の大きい普通ライセンスを購入する必要がなく、接続サービス会社は運用コストを低減し、設備が過負荷運用状態にあってもユーザの設備へのアクセスを確保し、トラフィックピークに円滑に対処し、ユーザの使用感を向上させることが可能である。また、過負荷ライセンス運用条件が設定され、過負荷ライセンス運用条件が満たされているかどうかが判定される。過負荷ライセンス運用条件が満たされている場合のみ、過負荷ライセンスは有効化されることにより、運用コストの抑制を実施できる。
【００７４】
当業者であれば、本発明の実施形態による方法のすべてのステップ、あるいは一部のステップは、関連するハードウェアに命令をするプログラムで実装されてもよいことが理解されるであろう。プログラムはコンピュータ可読記憶媒体に格納されてもよい。実行されると、プログラムは少なくとも
サービスアクセス要求を受信するステップと、
サービスアクセス要求に始動されて、過負荷の発生を検出するステップと、
過負荷が検出された場合には、過負荷ライセンスコントローラの制御の下に、サービスアクセス要求を受理するステップと
を実行する。
【００７５】
上記の記憶媒体は、読み出し専用メモリ（ＲＯＭ）、磁気ディスク、又はコンパクトディスク読み出し専用メモリ（ＣＤ−ＲＯＭ）であってよい。
【００７６】
上記の説明は、本発明の実施形態に従って通信設備の過負荷処理のための方法及び装置を詳細に記述するものである。上記の実施形態は、本発明の方法及び思想を理解する助けとなることのみを意図したものである。当業者であれば、本発明の思想に従って、特定の実装及び適用範囲に関する本発明の変形及び修正を行うことは可能である。従って、本明細書は本発明を限定するものと見なされるべきではない。
【図１】
2011510370.tif 000003
【図２】
2011510370.tif 000004
【図３】
2011510370.tif 000005
【図４】
2011510370.tif 000006
【図５】
2011510370.tif 000007
【図６】
2011510370.tif 000008
【手続補正書】
【提出日】平成22年7月13日(2010.7.13)
【手続補正１】
【補正対象書類名】明細書
【補正対象項目名】０００１
【補正方法】変更
【補正の内容】
【０００１】
本発明は通信技術に関し、特に通信設備の過負荷処理方法及び装置に関する。
【手続補正２】
【補正対象書類名】明細書
【補正対象項目名】００２０
【補正方法】変更
【補正の内容】
【００２０】
過負荷回数は、任意の普通ライセンスが上限を超えた総回数であり、装置の任意の普通ライセンスが上限を超えると、過負荷回数が１だけ増分される。この場合、過負荷ライセンスコントローラが、サービス運用プロセスにおいて、設備の普通ライセンスの過負荷総回数に対する制御をおこなう。過負荷回数が増えると、過負荷ライセンスコントローラの容量は減少する。サービスのピーク日数は、過負荷日数の合計である。ある日に過負荷が発生すると、サービスのピーク日数が１だけ増分される。この場合、過負荷ライセンスコントローラが、サービス運用プロセスにおいて、サービスピークが発生した総日数に対する制御をおこなう。過負荷日数が増えると、過負荷ライセンスコントローラの容量は減少する。サービスピーク数は、ある期間（数時間又は数日）において過負荷が継続的に発生する場合、その期間をサービスピークとしてカウントする。この場合、過負荷ライセンスコントローラが、サービス運用プロセスにおいて、サービスピークの総数に対する制御をおこなう。サービスピーク数が増えると、過負荷ライセンスコントローラの容量は減少する。過負荷時間は、過負荷の継続時間を指す。このコントローラは、サービス運用プロセスにおいて、過負荷時間に対する制御を行う。この場合、過負荷ライセンスコントローラの容量つまり過負荷時間は、過負荷時間の増加に伴って減少する。
【手続補正３】
【補正対象書類名】明細書
【補正対象項目名】００４４
【補正方法】変更
【補正の内容】
【００４４】
ステップ３０４：過負荷ライセンスコントローラの運用条件が満たされているかどうかが判定される。運用条件が満たされている場合には、プロセスはステップ３０５へ進む。そうでない場合は、プロセスはステップ３０９へ進む。
【手続補正４】
【補正対象書類名】明細書
【補正対象項目名】００５７
【補正方法】変更
【補正の内容】
【００５７】
図４は、本発明の第１の実施形態による、通信設備の過負荷処理装置の構成を示す。この装置には、
サービスアクセス要求を受信するように構成された受信ユニット４０１と
受信ユニット４０１がサービスアクセス要求を受信した後に、過負荷の発生の有無を検出するように構成された検出ユニット４０２と
検出ユニット４０２が過負荷を検出した場合、過負荷ライセンスコントローラの制御の下にサービスアクセス要求を受理するように構成された制御ユニット４０３と
が含まれる。
【手続補正５】
【補正対象書類名】明細書
【補正対象項目名】００６６
【補正方法】変更
【補正の内容】
【００６６】
この場合、判定ユニットが過負荷ライセンスの運用条件が満たされていると判断した場合にのみ、制御ユニット４０３又は制御ユニット５０４は、過負荷ライセンスコントローラの制御の下に設備の運用を制御するように構成される。
【手続補正６】
【補正対象書類名】明細書
【補正対象項目名】００７１
【補正方法】変更
【補正の内容】
【００７１】
図６は、本発明の第３の実施形態による、通信設備の過負荷処理装置の構造を示す。この装置には、
過負荷ライセンスの運用条件を設定するための、設定ユニット６０１と
サービスアクセス要求を受信するように構成された受信ユニット６０２と
受信ユニット６０２がサービスアクセス要求を受信した後に、過負荷の発生の有無を検出するように構成された検出ユニット６０３と
検出ユニット６０３が過負荷を検出した後、設定ユニット６０１により設定された過負荷ライセンス運用条件が満たされているかどうかを判定するように構成された判定ユニット６０４と
判定ユニットが、過負荷ライセンス運用条件が満たされていると判断した後に、サービスアクセス要求仕様を満たすように環境設定バラメータを調整するように構成された調整ユニット６０５と
調整ユニット６０５が環境設定パラメータを調整した後に、過負荷ライセンスコントローラの制御の下にサービスアクセス要求を受理するように構成された制御ユニット６０６と
制御ユニット６０６が、過負荷ライセンスコントローラの制御の下にサービスアクセス要求を受理した後に、過負荷ライセンスコントローラの過負荷ライセンスコントローラ容量を減少させるように構成された、容量制御ユニット６０７と
検出ユニット６０３が過負荷を検出した後に、ライセンス過負荷アラームを始動するように構成された、始動ユニット６０８と
が含まれる。
【手続補正７】
【補正対象書類名】特許請求の範囲
【補正対象項目名】全文
【補正方法】変更
【補正の内容】
【特許請求の範囲】
【請求項１】
サービスアクセス要求を受信するステップと、
前記サービスアクセス要求に始動されて、過負荷の発生を検出するステップと、
過負荷が検出される場合に、過負荷ライセンスコントローラの制御の下に前記サービスアクセス要求を受理するステップと、
を含む、通信設備の過負荷処理方法。
【請求項２】
前記過負荷ライセンスコントローラの制御の下に前記サービスアクセス要求を受理するステップの前に、
前記サービスアクセス要求の仕様を満たすために環境設定パラメータを調整するステップを更に含むことを特徴とする、請求項１に記載の方法。
【請求項３】
前記過負荷ライセンスコントローラの制御の下に前記サービスアクセス要求を受理するステップの前に、
前記通信設備が、前記過負荷ライセンスコントローラに対応する過負荷ライセンスの運用条件を満たすかどうかを判断するステップと、
前記通信設備が前記運用条件を満たす場合に、前記過負荷ライセンスコントローラの制御の下に、前記サービスアクセス要求を受理するステップと、
を更に含むことを特徴とする、請求項１に記載の方法。
【請求項４】
前記通信設備が前記運用条件を満たす場合に、前記過負荷ライセンスコントローラの制御の下に、前記サービスアクセス要求を受理するステップの前に、
前記過負荷ライセンスコントローラが過負荷ライセンスコントローラ容量を有するかどうかを判断するステップと、
前記過負荷ライセンスコントローラが過負荷ライセンスコントローラ容量を有する場合に、前記過負荷ライセンスコントローラの制御の下に前記サービスアクセス要求を受理するステップと、
を更に含むことを特徴とする、請求項３に記載の方法。
【請求項５】
前記過負荷ライセンスコントローラの制御の下に前記サービスアクセス要求を受理するステップの後に、
前記過負荷ライセンスコントローラの前記過負荷ライセンスコントローラ容量を減少させるステップ、
を更に含むことを特徴とする、請求項４に記載の方法。
【請求項６】
前記通信設備が、前記過負荷ライセンスの前記運用条件を満たすかどうかを判定するステップの前に、
前記運用条件を設定するステップを更に含むことを特徴とする、請求項３〜５のいずれか１項に記載の方法。
【請求項７】
前記過負荷が検出された場合に、
過負荷ライセンスアラームを始動させるステップを更に含むことを特徴とする、請求項１から５のいずれか１項に記載の方法。
【請求項８】
コンピュータで実行されると、請求項１から７のいずれか１項に記載のステップを前記コンピュータに実行させるコンピュータプログラムコードを含むことを特徴とする、コンピュータプログラム。
【請求項９】
サービスアクセス要求を受信するように構成された受信ユニットと、
前記受信ユニットが前記サービスアクセス要求を受信した後に、過負荷の発生の有無を検出するように構成された検出ユニットと、
前記検出ユニットが過負荷を検出した場合、過負荷ライセンスコントローラの制御の下に前記サービスアクセス要求を受理するように構成された制御ユニットと、
を備える、通信設備の過負荷処理装置。
【請求項１０】
前記検出ユニットが過負荷を検出した後、前記サービスアクセス要求の仕様を満たすために環境設定パラメータを調整するように構成された調整ユニットを更に備え、
前記制御ユニットは、前記調整ユニットが前記環境設定パラメータを調整した後、前記過負荷ライセンスコントローラの制御の下に前記サービスアクセス要求を受理するように更に構成されていることを特徴とする、請求項９に記載の装置。
【請求項１１】
前記検出ユニットが過負荷を検出した後、前記過負荷ライセンスコントローラに対応する過負荷ライセンスの運用条件を、前記通信設備が満たすかどうかを判定するように構成された判定ユニットを更に備え、
前記制御ユニットは、前記判定ユニットにより前記通信設備が過負荷ライセンスの運用条件を満たしていると判定された場合に、前記過負荷ライセンスの制御の下に前記サービスアクセス要求を受理するように更に構成されていることを特徴とする、請求項９に記載の装置。
【請求項１２】
前記判定ユニットは、前記通信設備が前記運用条件を満たすと判定された場合に、前記過負荷ライセンスコントローラが過負荷ライセンスコントローラ容量を有するか否かを更に判定するように構成されており、
前記制御ユニットは、前記判定ユニットが前記過負荷ライセンスコントローラは前記過負荷ライセンスコントローラ容量を有すると判断した場合に、前記過負荷ライセンスコントローラの制御の下に前記サービスアクセス要求を受理するように更に構成されている、ことを特徴とする、請求項１１に記載の装置。
【請求項１３】
前記制御ユニットが、前記過負荷ライセンスコントローラの制御の下に前記サービスアクセス要求を受理した後に、前記過負荷ライセンスコントローラの前記過負荷ライセンスコントローラ容量を減少させるように構成された、容量制御ユニットを更に備えることを特徴とする、請求項１２に記載の装置。
【請求項１４】
前記運用設備が前記運用条件を満たすかどうかを前記判定ユニットが判定する前に、前記過負荷ライセンスの前記運用条件を設定するように構成された、設定ユニットを更に備えることを特徴とする、請求項１１から１３のいずれか１項に記載の装置。
【請求項１５】
前記検出ユニットが過負荷を検出した後に、ライセンス過負荷アラームを始動するように構成された、始動ユニットを更に備えることを特徴とする、請求項９から１３のいずれか１項に記載の装置。
【国際調査報告】
2011510370.tif 000009
2011510370.tif 000010
2011510370.tif 000011
2011510370.tif 000012